(57)【要約】【課題】底板部に水受けトレーを引き出し自在に備える食器乾燥機と、水受けトレーを必要としない収納棚とにおける外観を統一する。側板の兼用化を図る。底板部の構成において部品点数を削減し、組み立て性を向上させる。【解決手段】下方が開放された外部ケース１側の昇降索２を棚部３に連結して棚部３を外部ケース１内に格納する格納位置に上昇及び物品取出し・収納位置に下降自在に設けた昇降棚である。棚部３の底板部４は、棚地板５とこれの下方に所定の高さの空間を形成して棚底板６を接続して構成している。底板部４を左右の側板１３、１３の下端部間に取付ける。棚地板５の下面に棚地板５の変形を防止する補強桟１１を取付ける。補強桟１１の両端部に棚底板取付片７、７を上記空間の所定の高さに相当する長さに垂下する。棚底板取付片７に棚底板６を取付けている。【選択図】　　　　図１
2004073621.tif 000002
【特許請求の範囲】
【請求項１】
下方が開放された外部ケース側の昇降索を棚部に連結して棚部を外部ケース内に格納する格納位置に上昇及び物品取出し・収納位置に下降自在に設けた昇降棚であって、棚部の底板部は、棚地板とこれの下方に所定の高さの空間を形成して棚底板を接続して構成し、底板部を左右の側板の下端部間に取付け、棚地板の下面に棚地板の変形を防止する補強桟を取付け、補強桟の両端部に棚底板取付片を上記空間の所定の高さに相当する長さに垂下し、棚底板取付片に棚底板を取付けて成ることを特徴とする昇降棚。
【請求項２】
地板材の前後端縁に枠フレームを対向させ、枠フレームに水平方向に開口したコ字状の差し込み溝を形成し、地板材の両端縁部を折り返して折り返し部を形成し、折り返し部を差し込み溝に係入して棚地板を形成して成ることを特徴とする請求項１記載の昇降棚。
【請求項３】
補強桟に略Ｌ字状の枠フレーム取付片を垂下し、フレーム取付片を枠フレームに接続して成ることを特徴とする請求項２記載の昇降棚。
【発明の詳細な説明】
【０００１】
【発明の属する技術分野】
本発明は、昇降棚に関し、詳しくは、底板部に水受けトレーを引き出し自在に備える食器乾燥機と、水受けトレーを必要としない収納棚とにおける外観を統一し、かつ、側板の兼用化を図り、しかも、底板部の構成において部品点数を削減し、組み立て性を向上させようとする技術に係るものである。
【０００２】
【従来の技術】
従来、下方が開放された外部ケース側の昇降索を棚部に連結して棚部を外部ケース内に格納する格納位置に上昇及び物品取出し・収納位置に下降自在に設けた昇降棚においては、底板部に水受けトレーを引き出し自在に備える食器乾燥機と、水受けトレーを必要としない収納棚の仕様がある。
【０００３】
このような二つの仕様の昇降棚をシステムキッチンにおいて並設する際に、棚部を下降させた場合の外観を統一させたい要望がある。
【０００４】
【発明が解決しようとする課題】
このため、図９及び図１０に示すように、棚部３ａの底板部４ａは、棚地板５ａとこれの下方に所定の高さの空間を形成して棚底板６ａを接続して構成しているのであり、食器乾燥機Ａａの仕様では棚地板５ａと棚底板６ａとの間の空間に水受けトレー（図示せず）を引き出し自在に設けるのであり、収納棚の仕様では水受けトレーを設けないものである。図９は食器乾燥機Ａａの形態を示す。
【０００５】
ところで、従来では、棚地板５ａを棚底板６ａに所定の空間を形成して接続する際に、図１０に示すように、棚地板５ａに補強桟１１ａを取付けて棚地板５ａのべこつきや変形を防止するのであり、加えて、別構成となった取付金具１２ａを棚地板５ａに取付けるのである。この場合、棚地板５ａの前後縁部には、アルミニウムの枠フレーム９ａ、９ａが付設され、このような枠フレーム９ａに補強桟１１ａ及び取付金具１２ａがビス止めされるのである。取付金具１２ａに棚底板６ａをビス止めするのである。
【０００６】
このように、従来では、補強桟１１ａとは別に取付金具１２ａを必要として部品数が増し、工数が増し、組み立て性を高め難く、コスト高となる等という問題がある。
【０００７】
本発明はこのような問題に鑑みてなされたものであり、底板部に水受けトレーを引き出し自在に備える食器乾燥機と、水受けトレーを必要としない収納棚とにおける外観を統一し、かつ、側板の兼用化を図り、しかも、底板部の構成において部品点数を削減し、組み立て性を向上させることができる昇降棚を提供することを目的とするものである。
【０００８】
【課題を解決するための手段】
請求項１の発明においては、下方が開放された外部ケース１側の昇降索２を棚部３に連結して棚部３を外部ケース１内に格納する格納位置に上昇及び物品取出し・収納位置に下降自在に設けた昇降棚であって、棚部３の底板部４は、棚地板５とこれの下方に所定の高さの空間を形成して棚底板６を接続して構成し、底板部４を左右の側板１３、１３の下端部間に取付け、棚地板５の下面に棚地板５の変形を防止する補強桟１１を取付け、補強桟１１の両端部に棚底板取付片７、７を上記空間の所定の高さに相当する長さに垂下し、棚底板取付片７に棚底板６を取付けていることを特徴とするものである。
【０００９】
このような構成によれば、棚地板５と棚底板６との間の所定の空間を利用して水抜きトレーを配設する食器乾燥機の仕様と水抜きトレーを配設しない収納棚の仕様を同じ外観にできて、システムキッチンにおいて食器乾燥機と収納棚を併設した場合に統一感を出すことができ、商品価値を高めることができ、かつ、下端部間に底板部４を接続する左右の側板１３、１３を異なる上記仕様において共通化を図ることができながら、
特に、本発明においては、棚地板５の下面に棚地板５の変形を防止する補強桟１１を取付け、補強桟１１の両端部に棚底板取付片７、７を上記空間の所定の高さに相当する長さに垂下し、棚底板取付片７に棚底板６を取付けているから、従来のように、補強桟１１ａと取付金具１２ａを別にする構成に比べて部品点数を低減でき、工数を少なくでき、コストを低減し、組み立て性を高めることができる。
【００１０】
請求項２の発明においては、地板材１７の前後端縁に枠フレーム９、９を対向させ、枠フレーム９に水平方向に開口したコ字状の差し込み溝１０を形成し、地板材１７の両端縁部を折り返して折り返し部８を形成し、折り返し部８を差し込み溝１０に係入して棚地板５を形成して成ることを特徴とするものである。このような構成によれば、枠フレーム９に地板材１７を安定的に接続ができ、地板材１７を金属板にする場合の端部の仕舞いを良好におこなうことができる。
【００１１】
請求項３の発明においては、補強桟１１に略Ｌ字状の枠フレーム取付片１２を垂下し、フレーム取付片１２を枠フレーム９に接続していることを特徴とするものである。このような構成によれば、補強桟１１を棚地板５に強度を高めて安定的に取付けることができる。
【００１２】
【発明の実施の形態】
以下、本発明の実施の形態を説明する。図１は棚部３の分解斜視図である。図２は昇降棚Ａの概略側断面図である。図３は棚部３の組み立て後の斜視図である。
【００１３】
昇降棚Ａは実施の形態では収納棚の仕様であるが、他に、食器乾燥機の仕様も存在し、いずれもが天袋の一部を構成するもので、例えば、調理部と食堂とを仕切る天袋の一部として設置され、その下方にはカウンターが配設されている。食器乾燥機の仕様では、棚部３の底板部４に水受けトレー（図示せず）を引き出し自在に備えるのであり、収納棚の仕様では水受けトレーを必要としないのであり、このように仕様の異なりにかかわらずに外観を統一し、かつ、側板１３の兼用化を図り、しかも、底板部４の構成において部品点数を削減し、組み立て性を向上させている。以下、詳述する。
【００１４】
図２に示すように、外部ケース１は下方が開放された箱型に形成され、開くことができない擬似扉１４を備え、このような外部ケース１の内部上部には滑車と巻き取りドラムと駆動モータ等を備えた昇降機構部１５が設置されている。昇降機構部１５からの一対の昇降索２であるベルト１６，１６に棚部３を係着していて、駆動モータによって棚部３を昇降することができるようにしている。棚部３は以下のように構成されている。
【００１５】
図１に示すように、例えば、ＡＢＳ樹脂製の側板１３の内面に、ステンレス鋼製で箱形に折り曲げられた側板プレート２１がビス２２にて取付けられ、側板１３、１３間の四隅にアルミニウム製の押出成形品の枠フレーム９がタッピングビス２３にて固定され、上の枠フレーム９、９間で側板１３の上面にスチール製の天板２４がねじ止めされ、背板２５は側板１３と側板プレート２１との間に挟み込んだ状態で、上下の枠フレーム９にそれぞれねじ止めされている。
【００１６】
図４及び図５に示すように、下の枠フレーム９には内部で水平方向に開口したコ字状の差し込み溝１０を形成している。一方、地板材１７の前後端縁部を折り返して折り返し部８を形成している。地板材１７の左右縁部は下方に略直角に折り曲げて折り曲げ片２６を形成している。折り返し部８を差し込み溝１０に係入して棚地板５を形成している。地板材１７の折り曲げ片２６、２６は左右の側板１３、１３に当接している。
【００１７】
下部の前の枠フレーム９の前端上部、及び、下部の後の枠フレーム９の後端上部にそれぞれ下方に開口させて接続溝１８を形成している。一方、例えば、スチール製の棚底板６の四辺には立ち上げ片１９が形成され、棚底板６の前後辺の立ち上げ片１９の上端部は内方にく字状に折り曲げられ、このく字状折り曲げ部２０を接続溝１８に係入している。
【００１８】
補強桟１１は、地板材１７のべこつきや変形を防止するものであり、補強桟１１の前後端部に棚底板取付片７、７を垂下している。又、補強桟１１に略Ｌ字状の枠フレーム取付片１２を垂下している。略Ｌ字状の枠フレーム取付片１２を枠フレーム９にビス２７にて取付け、棚底板取付片７をビス２８にて棚底板６に取付けている。
【００１９】
ところで、左右の側板１３、１３のうち、食器乾燥機の仕様においては吸気ダクト（図示せず）を形成する一方の側板１３を除いて他の側板１３及び両側板プレート２１、２１は食器乾燥機及び収納棚の両仕様において共通化している。
以上のように、棚部３の底板部４は、棚地板５とこれの下方に所定の高さの空間を形成して棚底板６を接続して構成していて、棚地板５と棚底板６との間の所定の空間を利用して水抜きトレーを配設する食器乾燥機の仕様と水抜きトレーを配設しない収納棚の仕様を同じ外観にできて、システムキッチンにおいて食器乾燥機と収納棚を併設した場合に統一感を出すことができ、商品価値を高めることができ、かつ、下端部間に底板部４を接続する左右の側板１３、１３を異なる上記仕様において共通化を図ることができるのである。
この場合、棚地板５の下面に棚地板５の変形を防止する補強桟１１を取付け、補強桟１１の両端部に棚底板取付片７、７を上記空間の所定の高さに相当する長さに垂下し、棚底板取付片７に棚底板６を取付けていることから、部品点数を低減でき、工数を少なくでき、コストを低減し、組み立て性を高めることができるのである。
更に、地板材１７の前後端縁に枠フレーム９、９を対向させ、枠フレーム９に水平方向に開口したコ字状の差し込み溝１０を形成し、地板材１７の両端縁部を折り返して折り返し部８を形成し、折り返し部８を差し込み溝１０に係入して棚地板５を形成していることから、枠フレーム９に地板材１７を安定的に接続ができ、地板材１７を金属板にする場合の端部の仕舞いを良好におこなうことができるのである。
【００２０】
しかも、補強桟１１に略Ｌ字状の枠フレーム取付片１２を垂下し、フレーム取付片１２を枠フレーム９に接続していることから、補強桟１１を棚地板５に強度を高めて安定的に取付けることができるのである。
【００２１】
【発明の効果】
請求項１の発明においては、下方が開放された外部ケース側の昇降索を棚部に連結して棚部を外部ケース内に格納する格納位置に上昇及び物品取出し・収納位置に下降自在に設けた昇降棚であって、棚部の底板部は、棚地板とこれの下方に所定の高さの空間を形成して棚底板を接続して構成していて、棚地板と棚底板との間の所定の空間を利用して水抜きトレーを配設する食器乾燥機の仕様と水抜きトレーを配設しない収納棚の仕様を同じ外観にできて、システムキッチンにおいて食器乾燥機と収納棚を併設した場合に統一感を出すことができ、商品価値を高めることができ、かつ、下端部間に底板部を接続する左右の側板を異なる上記仕様において共通化を図ることができながら、
特に、本発明においては、棚地板の下面に棚地板の変形を防止する補強桟を取付け、補強桟の両端部に棚底板取付片を上記空間の所定の高さに相当する長さに垂下し、棚底板取付片に棚底板を取付けているから、従来のように、補強桟と取付金具を別にする構成に比べて部品点数を低減でき、工数を少なくでき、コストを低減し、組み立て性を高めることができるという利点がある。
【００２２】
請求項２の発明においては、請求項１の効果に加えて、地板材の前後端縁に枠フレームを対向させ、枠フレームに水平方向に開口したコ字状の差し込み溝を形成し、地板材の両端縁部を折り返して折り返し部を形成し、折り返し部を差し込み溝に係入して棚地板を形成しているから、枠フレームに地板材を安定的に接続ができ、地板材を金属板にする場合の端部の仕舞いを良好におこなうことができるという利点がある。
【００２３】
請求項３の発明においては、請求項２の効果に加えて、補強桟に略Ｌ字状の枠フレーム取付片を垂下し、フレーム取付片を枠フレームに接続しているから、補強桟を棚地板に強度を高めて安定的に取付けることができるという利点がある。
【図面の簡単な説明】
【図１】本発明の実施の一形態の棚部の分解斜視図である。
【図２】同上の昇降棚の概略側断面図である。
【図３】同上の棚部の組み立て後の斜視図である。
【図４】同上の棚部の底板部の棚地板に補強桟を取付けた斜視図である。
【図５】同上の底板部の分解側面図である。
【図６】同上の底板部の組み立て後の側面図である。
【図７】同上の食器乾燥機仕様の底板部の取付け構造を示す側断面図である。
【図８】同上の概略正断面図である。
【図９】従来例で食器乾燥機仕様の棚部の斜視図である。
【図１０】同上の棚部の棚地板の背面側からの斜視図である。
【図１１】同上の部分拡大斜視図である。
【図１２】同上の背面図である。
【符号の説明】
１　　外部ケース
２　　昇降索
３　　棚部
４　　底板部
５　　棚板地
６　　棚底板
７　　棚底板取付片
８　　折り返し部
９　　枠フレーム
１０　差し込み溝
１１　補強桟
１２　フレーム取付片
１３　側板
【図１】
2004073621.tif 000003
【図２】
2004073621.tif 000004
【図３】
2004073621.tif 000005
【図４】
2004073621.tif 000006
【図５】
2004073621.tif 000007
【図６】
2004073621.tif 000008
【図７】
2004073621.tif 000009
【図８】
2004073621.tif 000010
【図９】
2004073621.tif 000011
【図１０】
2004073621.tif 000012
【図１１】
2004073621.tif 000013
【図１２】
2004073621.tif 000014